(57)【特許請求の範囲】
【請求項１】
把手と、この把手に自在継手により連接された保持板と、この保持板に付設された弾性体とを備え、この弾性体に繊維布を着脱自在に被せる掃除具であって、
前記自在継手は、第一関節を回動自在に支持する一対の支持板と、第一関節に連結された第二関節に回動自在に支持された把手端部の二股部とを備え、
清掃時には、把手は保持板に対して回動自在に自在継手により連接され、
掃除具を収納する時には、前記把手が前記保持板にほとんど接する位置で、前記自在継手に設けられた凸部と凹部との係止によるクリックストップ機構により、前記自在継手の回動を固定する手段を備えた
掃除具。
【請求項２】
前記自在継手の凸部が、前記第一関節を回動自在に支持する支持板の一方の外側面に設けられ、前記凹部が前記第二関節に回動自在に支持された把手端部の二股部の内面に設けられた請求項１記載の掃除具。
【請求項３】
前記保持板は長方形であり、前記自在継手はこの保持板の中央に設けられ、前記凸部は弾性変形可能であり、前記クリックストップ機構は前記把手が保持板の長手方向に平行になった位置で有効になる請求項１または２記載の掃除具。
【発明の詳細な説明】
【０００１】
【発明の属する技術分野】
本発明は、床、じゅうたん、畳、家具の表面その他を清掃するための掃除具の改良に関する。特に、清掃端に繊維布を被せて使用し、その繊維布を交換することができる掃除具に関する。
【０００２】
【従来の技術】
本願出願人は、把手と、この把手に連接された保持板と、この保持板に付設された弾性体とを備え、この弾性体に薄手の繊維布を着脱自在に被せる掃除具を製造販売しきわめて好評を得ている。その基本的な構造は、実開平２−１１９１５２号公報に開示されている。
【０００３】
従来構造では、把手と保持板との間は自在継手になっていて、把手の角度が変化しても保持板が常に清掃面に平行になるように工夫されている。
【０００４】
【発明が解決しようとする課題】
把手と保持板との間に自在継手が設けられていることは便利であるが、この掃除具を収納しておくときに、把手がさまざまな角度になってしまって不便であるとの批評があった。つまり、この掃除具は把手自体も着脱可能に構成されているが、この掃除具を使用しないときにも把手を取付けたまま、家具と壁のすき間などに収納しておくことが多く、その場合に先端保持板と把手とがさまざまな角度にならないように改良することが望まれた。
【０００５】
本発明はこのような背景に行われたものであって、本願発明者は、自在継手の構造についてさまざまな改良試験を行った。
【０００６】
本発明は、使用を終え収納しておくときに、把手の角度が固定できる構造の掃除具を提供することを目的とする。
【０００７】
【課題を解決するための手段】
本発明は、繊維布を被せる弾性体が付設された保持板と把手とを連接する自在継手の動きを一時的に固定できるようにすることを特徴とする。
【０００８】
すなわち、本発明は、把手と、この把手に自在継手により連接された保持板と、この保持板に付設された弾性体とを備え、この弾性体に繊維布を着脱自在に被せる掃除具において、前記把手の前記保持板に対する角度が収納位置にあるとき前記自在継手の動きを一時的に固定する手段が設けられたことを特徴とする。
【０００９】
前記一時的に固定する手段は、前記自在継手に設けられた凸部および凹部の係止によるクリックストップ機構であり、前記保持板は長方形であり、前記自在継手はこの保持板の中央に設けられ、前記クリックストップ機構は前記把手がこの保持板にほとんど接しかつ保持板の長手方向に平行になった位置で有効になる構造にすることが望ましい。
【００１０】
把手と保持板とは自在継手により連接されているので、把手の角度は水平面に対しどの角度にでもなるように構成されている。したがって、清掃中に把手の角度がどのような角度に変化しても保持板は常に清掃面に対し平行になる。清掃中は把手の角度は常に変化し、この変化時の自在継手から受ける回動抵抗はできるだけ小さくすることが理想的である。
【００１１】
ところが清掃時以外はなるべく日常使用しない狭い場所に収納するか、壁に掛けた場合でも突出をできるだけ小さくしたいのが利用者の要求である。そのためには把手が保持板にほとんど接し、保持板の長手方向に平行になった状態で立てた場合に変位しないように自在継手の回動に抵抗をもたせる必要がある。
【００１２】
本発明は、このような相反する問題を前述のように自在継手の一部に凸部および凹部を形成するだけで解消するものである。すなわち、自在継手の第一関節を回動自在に支持する一対の支持板の一方の外側面に小さな凸部を設け、この第一関節に連接された第二関節に回動自在に支持された把手端部の二股部内面に凹部を設けてクリックストップ機構を形成することにより、把手を保持板にほとんど接するように、かつ保持板の長手方向に平行になる位置に回動させたときに、凸部と凹部とが係合して把手を固定状態にする。
【００１３】
これにより、清掃時には自在継手の回動に全く抵抗を感じずに作業を行うことができ、清掃を終えたときには大きな空間を要しない収納しやすい状態を維持することができる。
【００１４】
【発明の実施の形態】
【００１５】
【実施例】
次に、本発明実施例を図面に基づいて説明する。図１は本発明実施例の要部の構成を示す部分斜視図、図２は本発明実施例における把手固定手段の構成を示す自在継手の一部断面図、図３（ａ）は本発明実施例の外観形状を示す斜視図、（ｂ）は繊維布が取りつけられた使用状態を示す斜視図である。
【００１６】
本発明実施例では、把手１と、この把手１に自在継手２により連接された保持板３と、この保持板３に付設された弾性体４とが備えられ、この弾性体４に繊維布５が着脱自在に被せられ、把手１が収納時の位置にあるとき自在継手２の動きを一時的に固定する手段が設けられている。この一時的に固定する手段は、自在継手２に設けられた凸部６および凹部７の係止によるクリックストップ機構であり、保持板３は長方形であり、自在継手２はこの保持板３の中央に設けられ、クリックストップ機構は図４に示すように把手１がこの保持板３にほとんど接しかつ保持板３の長手方向に平行になった位置で有効になるように構成される。
【００１７】
凸部６は自在継手２の第一関節８を回動自在に支持する一対の支持板９の一方の外側面に形成され、凹部７は第一関節８に連結された第二関節１０に回動自在に支持された把手端部の二股部の内面に形成される。
【００１８】
把手１と保持板３とは図３に示すように自在継手２により連結されるが、清掃を行うときには同図（ｂ）に示すように、繊維布５が保持板３の清掃面と接する面を包むようにしてその両端部が４ケ所の係止部３ａに押し込まれ係止される。係止部３ａには鋸歯状の歯形が噛み合うように構成されているので、押し込まれた繊維布５はその噛み合いによって固定される。繊維布５の取外しはその噛合部の近傍を引き出すことによって容易に保持板３から分離される。
【００１９】
把手１による清掃操作は保持板３を前後または左右に移すことによって行われる。この清掃時には自在継手２の回動抵抗は小さいほど手に負担がかからず操作しやすいので、ガタつきがない程度にゆるく連結しておくことがよい。
【００２０】
清掃を終えて収納するときには、把手１を図２の２点鎖線で示す回動自在な位置から実線で示すように保持板３にほとんど接し、かつ保持板３の長手方向に平行になる位置、すなわち図４に示す位置に倒すことにより、突起６が把手１の二股部内を弾性変形しながら通過し、凹部７に係合したときにその変形が復元して嵌合状態となり把手１は固定される。
【００２１】
把手１が保持板３に固定された状態になると、図４に示すように大きな容積を必要としない形状になり、家具と壁のすき間などの狭い場所への収納を容易に行うことができるとともに、そこからの取出しも簡単に行うことができる。
【００２２】
収納場所から取り出して清掃を行うときには、保持板３が下側になるように把手１を回動させれば、凸部６が凹部７から容易に離脱し自在継手２による回動動作が行える状態になる。
【００２３】
【発明の効果】
以上説明したように本発明によれば、特別な部材を追加することなく、使用を終えたときに把手の角度を簡単な操作で固定し家具と壁の間などの狭い場所に収納しやすくすることができる。
【図面の簡単な説明】
【図１】本発明実施例の要部の構成を示す部分斜視図。
【図２】本発明実施例における把手固定手段の構成を示す自在継手部の一部断面図。
【図３】（ａ）は本発明実施例の外観形状を示す斜視図、（ｂ）は繊維布が取付けられた使用状態を示す斜視図。
【図４】本発明実施例における収納時の把手固定状態を示す側面図。
【符号の説明】
１    把手
２    自在継手
３    保持板
３ａ  係止部
４    弾性体
５    繊維布
６    凸部
７    凹部
８    第一関節
９    支持板
１０  第二関節
【図１】
0003619307.tif 000002
【図２】
0003619307.tif 000003
【図３】
0003619307.tif 000004
【図４】
0003619307.tif 000005